(57)【要約】【課題】狭いベランダや室内等の限られたスペースに洗濯物を多く干すことができ、しかも、不使用時にコンパクトに収めることができて収納や運搬に便利になるようにする。【解決手段】複数の縦枠部材と、複数の縦枠部材間に着脱自在に連結される物干し横枠とを備え、縦枠部材は、上端にフック体を備えると共に、フック体の下方に上下方向に所定間隔をおいて配置された多数の横係止杆を備え、物干し横枠は、縦枠部材間に複数のハンガーを引っ掛け可能とするハンガー引掛部を備え、横杆の両端側に、縦枠部材の横係止杆に上側から係脱自在に係合する係合片を備えている。【選択図】図１
2007144095.tif 000002
【特許請求の範囲】
【請求項１】
複数の縦枠部材と、複数の縦枠部材間に着脱自在に連結される物干し横枠とを備え、縦枠部材は、上端にフック体を備えると共に、フック体の下方に上下方向に所定間隔をおいて配置された多数の横係止杆を備え、物干し横枠は、縦枠部材間に複数のハンガーを引っ掛け可能とするハンガー引掛部を備え、両端側に縦枠部材の横係止杆に上側から係脱自在に係合する係合片を備えていることを特徴とする物干し具。
【請求項２】
前記縦枠部材は、一対の縦杆を有し、一対の縦杆に前記多数の横係止杆が上下方向に所定間隔をおいて連結され、縦杆の上端部に前記フック体が突設されていることを特徴とする請求項１に記載の物干し具。
【請求項３】
前記一対の縦杆の上端部に、フック体が縦軸廻りに回転自在に支持されていることを特徴とする請求項２に記載の物干し具。
【請求項４】
前記物干し横枠は、下横杆と、下横杆の上方に位置する上横杆とを備え、下横杆と上横杆とを連結する複数の連結杆が設けられており、前記下横杆の隣り合う連結杆間が前記ハンガー引掛部とされていることを特徴とする請求項１に記載の物干し具。
【請求項５】
前記物干し横枠は、下横杆と、下横杆の上方に位置する上横杆とを備え、下横杆と上横杆とを連結する複数の連結杆が設けられており、前記連結杆は下側が円弧状に湾曲したＵ字状に形成されており、この円弧状に湾曲した連結杆の湾曲部が前記ハンガー引掛部とされていることを特徴とする請求項１に記載の物干し具。
【請求項６】
前記物干し横枠は、横杆と、この横杆に長手方向に間隔をおいて下方突設された複数の係止杆とを備え、この係止杆は下側が円弧状に湾曲したＵ字状に形成されており、この係止杆の湾曲部が前記ハンガー引掛部とされていることを特徴とする請求項１に記載の物干し具。
【請求項７】
前記物干し横枠は、前後一対の上横杆と１本の下横杆とを有し、これら一対の上横杆と下横杆とは、側面から視て、一対の上横杆間を底辺とし下横杆を頂点とする逆三角形状に配置されていることを特徴とする請求項１に記載の物干し具。
【請求項８】
前記物干し横枠の両端部の各係合片は、一対の上横杆の端部間に連結されていることを特徴とする請求項７に記載の物干し具。
【請求項９】
前記物干し横枠は、第１横枠体と第２横枠体とを備え、物干し横枠が伸縮調整自在となるように、第１横枠体と第２横枠体とが長手方向に移動自在に連結され、前記係合片が、第１横枠体の外端部と第２横枠体の外端部とに設けられていることを特徴とする請求項１に記載の物干し具。
【請求項１０】
前記第１横枠体の内端部に、第２横枠体を長手方向に移動自在に保持する保持片が設けられ、第２横枠体の内端部に、第２横枠体を長手方向に移動自在に保持する保持片が設けられていることを特徴とする請求項９に記載の物干し具。
【発明の詳細な説明】
【技術分野】
【０００１】
本発明は、物干し具に関するものである。
【背景技術】
【０００２】
従来の物干し具には、複数のハンガーを吊り下げることが可能なハンガー係止枠を、フック体により物干し竿等に引っ掛けて吊設するようにしたものがある（例えば、特許文献１、特許文献２）。
また、従来のハンガー装置には、複数のハンガーを吊り下げることが可能な支持部材を、支柱間に複数段に亘って設けるようにしたものがある（例えば、特許文献３）。
【特許文献１】特開平９−２２５１９４号公報
【特許文献２】特開平１０−５７６９３号公報
【特許文献３】実開昭５６−１７６６５６号公報
【発明の開示】
【発明が解決しようとする課題】
【０００３】
しかし、前者の場合は、フック体はハンガー係止枠から短い長さで突出されているため、物干し竿等のすぐ下方にハンガー係止枠が配置されることとなり、ハンガー係止枠の上方の物干し竿等に洗濯物を干すことができなくなるし、また、ハンガー係止枠を上下に間隔をおいて複数保持することができず、ハンガー等を利用して洗濯物を複数段に亘って干すことが困難であった。従って、前者の従来の場合、狭いベランダや室内で限られたスペースに洗濯物を多く干すことができなかった。
【０００４】
また、後者のハンガー装置の場合、支持部材が支柱に複数段に亘って設けられているため、ハンガー等を利用して洗濯物を複数段に亘って干すことができるが、支柱の下端には扁平脚が設けられていて、ハンガー装置を床等に設置するように構成されているため、床等の設置場所が必要になり、ベランダ等の狭い場所に吊り下げて設けることは困難であり、不便であった。また、床等に設置するために、ハンガー装置に扁平脚等を有する支柱が必要でハンガー装置が大型で複雑になり、不使用時等にコンパクトに納めることができず、収納や運搬等に不便であった。
【０００５】
本発明は上記問題点に鑑み、狭いベランダや室内等の限られたスペースに洗濯物を多く干すことができ、しかも、不使用時にコンパクトに収めることができて収納や運搬に便利になるようにしたものである。
【課題を解決するための手段】
【０００６】
この技術的課題を解決するための本発明の技術的手段は、複数の縦枠部材と、複数の縦枠部材間に着脱自在に連結される物干し横枠とを備え、縦枠部材は、上端にフック体を備えると共に、フック体の下方に上下方向に所定間隔をおいて配置された多数の横係止杆を備え、物干し横枠は、縦枠部材間に複数のハンガーを引っ掛け可能とするハンガー引掛部を備え、横杆の両端側に、縦枠部材の横係止杆に上側から係脱自在に係合する係合片を備えている点にある。
【０００７】
また、本発明の他の技術的手段は、前記縦枠部材は、一対の縦杆を有し、一対の縦杆に前記多数の横係止杆が上下方向に所定間隔をおいて連結され、縦杆の上端部に前記フック体が突設されている点にある。
また、本発明の他の技術的手段は、前記一対の縦杆の上端部に、フック体が縦軸廻りに回転自在に支持されている点にある。
【０００８】
また、本発明の他の技術的手段は、前記物干し横枠は、下横杆と、下横杆の上方に位置する上横杆とを備え、下横杆と上横杆とを連結する複数の連結杆が設けられており、前記下横杆の隣り合う連結杆間が前記ハンガー引掛部とされている点にある。
また、本発明の他の技術的手段は、前記物干し横枠は、下横杆と、下横杆の上方に位置する上横杆とを備え、下横杆と上横杆とを連結する複数の連結杆が設けられており、前記連結杆は下側が円弧状に湾曲したＵ字状に形成されており、この円弧状に湾曲した連結杆の湾曲部が前記ハンガー引掛部とされている点にある。
【０００９】
また、本発明の他の技術的手段は、前記物干し横枠は、横杆と、この横杆に長手方向に間隔をおいて下方突設された複数の係止杆とを備え、この係止杆は下側が円弧状に湾曲したＵ字状に形成されており、この係止杆の湾曲部が前記ハンガー引掛部とされている点にある。
また、本発明の他の技術的手段は、前記物干し横枠は、前後一対の上横杆と１本の下横杆とを有し、これら一対の上横杆と下横杆とは、側面から視て、一対の上横杆間を底辺とし下横杆を頂点とする逆三角形状に配置されている点にある。
【００１０】
また、本発明の他の技術的手段は、前記物干し横枠の両端部の各係合片は、一対の上横杆の端部間に連結されている点にある。
また、本発明の他の技術的手段は、前記物干し横枠は、第１横枠体と第２横枠体とを備え、物干し横枠が伸縮調整自在となるように、第１横枠体と第２横枠体とが長手方向に移動自在に連結され、前記係合片が、第１横枠体の外端部と第２横枠体の外端部とに設けられている点にある。
【００１１】
また、本発明の他の技術的手段は、前記第１横枠体の内端部に、第２横枠体を長手方向に移動自在に保持する保持片が設けられ、第２横枠体の内端部に、第２横枠体を長手方向に移動自在に保持する保持片が設けられている点にある。
【発明の効果】
【００１２】
本発明によれば、狭いベランダや室内等の限られたスペースに洗濯物を多く干すことができる。不使用時にコンパクトに収めることができて、収納や運搬に便利である。
【発明を実施するための最良の形態】
【００１３】
以下、本発明の実施の形態を図面に基づいて説明する。
図１〜図４において、物干し具１は、複数の縦枠部材２と、１又は複数の物干し横枠３とを備え、一対の縦枠部材２間に物干し横枠３が着脱自在に連結されている。
縦枠部材２は、一対の縦杆５を有し、一対の縦杆５に多数の横係止杆６が上下方向に所定間隔をおいて連結され、縦枠部材２は、一対の縦杆５と多数の横係止杆６とにより梯子状に形成されている。一対の縦杆５のうちの一方の縦杆５の上端部に円弧状のフック体７が突設されている。
【００１４】
物干し横枠３は、ハンガーを引っ掛けるための下横杆１０と、下横杆１０の上方に位置する上横杆１１とを備えると共に、横杆１０，１１の両端側に、縦枠部材２の横係止杆６に上側から係脱自在に係合する係合片１３を備える。係合片１３は上横杆１１と一体に形成されており、上横杆１１の両端から下方に折曲されている。
前記下横杆１０と上横杆１１とを連結する複数の連結杆１５が設けられ、各連結杆１５は一直線状の棒材により構成され、下横杆１０と上横杆１１との間に左右方向に一定間隔おきに配置されて、その上端部が上横杆１１に溶接等により固着され、下端部が下横杆１０に溶接等により固着され、物干し横枠３は、下横杆１０と上横杆１１と複数の連結杆１５とにより梯子状に形成され、前記下横杆１１の隣り合う連結杆１５間が前記ハンガー引掛部２３とされている。
【００１５】
なお、縦枠部材２の縦杆５又は物干し横枠３の横杆１１，１０は、それぞれ一本の金属等の線状材で構成するようにしてもよいし、また、複数の線状材を束ねて構成するようにしてもよい。
上記実施の形態によれば、洗濯物１７を干す場合、物干し竿１８や部屋の鴨居等に、フック体７を利用して一対の縦枠部材２を左右に間隔をおいて吊り下げ、この一対の縦枠部材２の対応する横係止杆６に、物干し横杆３の係合片１３を上側から係合して、一対の縦枠部材２間に物干し横枠３を着脱自在に連結し、この物干し横枠３の下横杆１０に複数のハンガー１９を引っ掛けて、各ハンガー１９に洗濯物１７を掛ければよく、多数の洗濯物１７を互いに前後方向に平行に配置した状態で、物干し横枠３にハンガー１９と共に左右方向に多数並べて吊り下げることができる。
【００１６】
この場合、図２に示すように、物干し横枠３を一対の縦枠部材２の下端側に連結することによって、物干し竿１８から物干し横杆３を下方に大きく離間させることが可能になり、上記の如く洗濯物１７を物干し横枠３に多数吊り下げることができると同時に、物干し横杆３の上方の物干し竿１８にもハンガー１９等を介して洗濯物１７を吊り下げて、物干し竿１８と物干し横杆３との間にも多数の洗濯物１７を配置することができる。
【００１７】
また、図３に示すように、一対の縦枠部材２に対して複数の物干し横枠３を設けておくことにより、一対の縦枠部材２に対して複数の物干し横枠３を複数段に亘って連結して、複数段の物干し横杆３にそれぞれ洗濯物１７を左右方向に多数並べて吊り下げることもできる。
さらに、図４に示すように、縦枠部材２を３個以上設けることにより、物干し竿１８等に、縦枠部材２を左右に間隔をおいて３個以上吊り下げて、左右に隣り合う各縦枠部材２間に、上記と同様に物干し横枠３を連結することによって、物干し竿１８等の下方に、複数の複数の物干し横枠３に多数の洗濯物１７を干すことができる。
【００１８】
従って、狭いベランダや室内等の限られたスペースに洗濯物１７を多く干すことができる。また、物干し横杆３の係合片１３を係合する一対の縦枠部材２の横係止杆６を選択することにより、縦枠部材２の上下位置を簡単かつ細かく調整することができ、この点からも洗濯物１７を狭いスペースに効率よく干すことができる。
また、下横杆１０と上横杆１１とを連結する連結杆１５は複数設けられており、前記下横杆１０の隣り合う連結杆１５間が前記ハンガー引掛部２３とされているので、下横杆１０に引っ掛けたハンガー１９乃至洗濯物１７が風等の影響で左右に大きく移動するのを前記ハンガー引掛部２３で規制することができる。
【００１９】
しかも、複数の縦枠部材２と物干し横枠３とはそれぞれに別個に簡単に分離することができるため、不使用時にコンパクトに収めることができて、収納や運搬に便利である。
図５は他の実施形態を示し、物干し横枠３は、前後一対の上横杆１１と１本の下横杆１０とを有し、これら一対の上横杆１１と下横杆１０とは、側面から視て、一対の上横杆１１間を底辺とし下横杆１０を頂点とする逆三角形状に配置されている。一対の上横杆１１と１本の下横杆１０とに、一直線状の複数の連結杆１５が左右方向に間隔をおいて連結されている。また、一対の上横杆１１同士間に、一直線状の複数の横連結杆１６が左右方向に間隔をおいて連結されている。物干し横枠３の両端部に位置する係合片１３は、それぞれ前後一対ずつ設けられていて、一対の上横杆１１の端部に一体に形成されている。縦枠部材２における一対の縦杆５の上端部に、フック体７が縦軸廻りに回転自在に支持されている。その他の点は前記実施の形態の場合と同様の構成である。
【００２０】
この実施の形態の場合、前記図１〜４の実施形態の場合と同様に、狭いベランダや室内等の限られたスペースに洗濯物１７を多く干すことができると共に、不使用時にコンパクトに収めることができて、収納や運搬に便利である。
しかも、前後一対の上横杆１１があって、一対の上横杆１１間を底辺とし下横杆１０を頂点とする逆三角形状に配置され、物干し横枠３の両端部に位置する係合片１３が、それぞれ前後一対ずつ設けられているので、係合片１３を一対の縦枠部材２の横係止杆６に係止することによって、物干し横枠３を一対の縦枠部材２に対してガタ付かないように安定に連結することができるようになる。
【００２１】
図６〜図１０は他の実施形態を示し、物干し横枠３は、横杆１０，１１を有する第１横枠体３ａと横杆１０，１１を有する第２横枠体３ｂとを備える。
第１横枠体３ａは、前後一対の上横杆１１と、前後一対の下横杆１０と、上横杆１１と下横杆１０とを連結する複数の連結杆１５とを備える。複数の連結杆１５は、下側が円弧状に湾曲したＵ字状に形成されている。一対の上横杆１１は、連結杆１５の上端部を前後に挟むように配置されて、各連結杆１５の上端部に溶接等により固着されている。一対の下横杆１０は、複数の連結杆１５の下端部（円弧状の湾曲部）を前後に挟むように配置されて、各連結杆１５の下端部に溶接等により固着されている。
【００２２】
第１横枠体３ａの外端部に、下方傾斜した係合片１３が設けられ、係合片１３は、第１横枠体３ａの一対の上横杆１１の外端部に連結されている。第１横枠体３ａの内端部に、第２横枠体３ｂの内端側を左右方向に移動自在に保持する保持片２１が設けられている。保持片２１はＣ字状に形成されて、一対の上横杆１１と一対の下横杆１０との端部に溶接等により固着されている。
【００２３】
第２横枠体３ｂは、前記第１横枠体３ａと同様に、前後一対の上横杆１１と、前後一対の下横杆１０と、上横杆１１と下横杆１０とを連結する複数の連結杆１５とを備え、第２横枠体３ｂの外端部に係合片１３が設けられ、第２横枠体３ｂの内端部に、第１横枠体３ａの内端側を左右方向に移動自在に保持するＣ字状の保持片２１が設けられている。
第２横枠体３ｂの保持片２１が、第１横枠体３ａの内端側を左右方向に移動自在に保持し、第１横枠体３ａの保持片２１が、第２横枠体３ｂの内端側を左右方向に移動自在に保持することにより、第１横枠体３ａの内端側と第２横枠体３ｂの内端側とが互いに長手方向に移動自在に連結されて、物干し横枠３が伸縮調整自在となるように構成されている。
【００２４】
第２横枠体３ｂの左右方向中途部に、上方突出したストッパー２２が設けられている。ストッパー２２は、複数の連結杆１５のうちの中途部の連結杆１５に一体に上方突設することにより形成され、ストッパー２２に、第１横枠体３ａの保持片２１の上部が接当することにより、第１横枠体３ａの保持杆２１から第２横枠体３ｂが抜けるのを規制している。
【００２５】
第１横枠体３ａの左右方向中途部に、上方突出したストッパー２２が設けられている。ストッパー２２は、複数の連結杆１５のうちの中途部の連結杆１５に一体に上方突設することにより形成され、ストッパー２２に、第２横枠体３ｂの保持片２１の上部が接当することにより、第２横枠体３ｂの保持片２１から第１横枠体３ａが抜けるのを規制している。
【００２６】
上記実施の形態によれば、前記実施の形態の場合と同様に、狭いベランダや室内等の限られたスペースに洗濯物１７を多く干すことができると共に、不使用時にコンパクトに収めることができて、収納や運搬に便利である。また、物干し横枠３が伸縮調整自在であるため、洗濯物１７を干すスペースに合わせて、物干し横枠３を伸縮調整することにより、スペースを有効に利用することが可能になる。また、複数の連結杆１５は、下側が円弧状に湾曲したＵ字状に形成されているので、洗濯物１７を掛けるハンガー１９を、一対の下横杆１０に引っ掛けると同時に、連結杆１５の湾曲部に引っ掛けておくことにより、即ち下横杆１０の隣り合う連結杆１５間をハンガー引掛部２３として用いるのに加えて、円弧状に湾曲した連結杆１５の湾曲部をハンガー引掛部２３に用いることで、ハンガー１９乃至洗濯物１７が風等の影響で左右に移動するのを防止することができる。
【００２７】
なお、前記図１の実施の形態、前記図５の実施形態では、物干し横枠３の下横杆１０と上横杆１１とを連結する複数の連結杆１５は、一直線状の棒材により構成されているが、これに代え、下横杆１０と上横杆１１とを連結する連結杆１５を、前記図６〜図１０の実施の形態の場合と同様に、下側が円弧状に湾曲したＵ字状に形成してもよい。例えば、前記図５の実施形態では、図１２及び図１３に示すように、一対の上横杆１１と１本の下横杆１０とを連結する複数の連結杆１５を、下側が円弧状に湾曲したＵ字状に形成してもよい。このように形成することにより、前記図６〜図１０の実施の形態の場合と同様に、洗濯物１７を掛けるハンガー１９を、一対の下横杆１０に引っ掛けると同時に、連結杆１５の下部に引っ掛けておくことにより、即ち下横杆１０の隣り合う連結杆１５間をハンガー引掛部２３として用いるのに加えて、円弧状に湾曲した連結杆１５の湾曲部をハンガー引掛部２３に用いることで、ハンガー１９乃至洗濯物１７が風等の影響で左右に移動するのを防止することができる。
【００２８】
図１４及び図１５は他の実施形態を示し、前記物干し横枠３に代えて又は物干し横杆３に追加して、一対の縦枠部材２に着脱自在に連結される物干し横杆３３を示している。
物干し横杆３３は、前後一対の内横杆３５を備えると共に、一対の内横杆３５の前後に、前後一対の外横杆３６が設けられている。外横杆３６は内横杆３５よりもやや短く形成され、前後一対の外横杆３６の左右両端部同士は、左右一対の連結杆３７によりそれぞれ連結されている。左右一対の連結杆３７の前後方向中央部は、一対の内横杆３５の左右方向外端側の中途部にそれぞれ溶接等により固着され、一対の連結杆３７の両端部は外横杆３６の端部に溶接等により固着されている。
【００２９】
一対の外横杆３６は、内横杆３５よりも下方に配置されて、連結杆３７は内横杆３５から外横杆３６に向けて下方傾斜されている。而して、一対の内横杆３５及び一対の外横杆３６に、ハンガー１９を引っ掛けて洗濯物１７を干すことができると共に、図５に鎖線で示すように、一対の内横杆３５及び一対の外横杆３６にバスタオル３９等を掛けることができるようになっている。
【００３０】
内横杆３５の両端側に、縦枠部材２の横係止杆６に上側から係脱自在に係合する係合片１３が設けられ、係合片１３は、一対の内横杆３５と一体に形成され又は一対の内横杆３５の端部に連結され、内横杆３５の両端から下方に折曲されている。
上記実施の形態によれば、前記実施の形態の場合と同様に、狭いベランダや室内等の限られたスペースに洗濯物１７を多く干すことができると共に、不使用時にコンパクトに収めることができて、収納や運搬に便利である。また、図１５に鎖線で示すように、前後の重量バランスをとりながら一対の内横杆３５及び一対の外横杆３６にバスタオル等を掛けることができる。
【００３１】
図１６〜図１９は他の実施形態を示し、この実施形態では、物干し横枠３は、両端に係合片１３を設けた前後一対の横杆２５と、この横杆２５に平行に設けられる連結横杆２６とを有しており、この横杆２５には長手方向に間隔をおいて複数の係止杆２４が、前後一対の横杆２５の間に上端側を挟持されて、溶接等により固着されている。前記係止杆２４は、前記横杆２５に下方突設されており、下側が円弧状に湾曲したＵ字状に形成されており、この係止杆２４は湾曲部が連結横杆２６より下方に突出するように固着されている。
【００３２】
前記係止杆２４は、下側に円弧状の湾曲部を形成しており、この湾曲部をハンガー引掛部２３として利用可能となっている。また、前記連結横杆２６がハンガー１９等の上方移動を規制するようになっている。さらに、前記連結横杆２６は、隣り合う係止杆２４の間にも設けられており、隣り合う係止杆２４の間の連結横杆２６にハンガー１９等を掛けられるようになっている。前記以外の構成については第１実施形態と同様である。
【００３３】
この実施の形態の場合、前記図１〜１５の実施形態の場合と同様に、狭いベランダや室内等の限られたスペースに洗濯物１７を多く干すことができると共に、不使用時にコンパクトに収めることができて、収納や運搬に便利である。
前記係止杆２４は、下側に円弧状の湾曲部を形成しており、この湾曲部をハンガー引掛部２３として用いることができ、ハンガー１９乃至洗濯物１７が風等の影響で左右に移動するのを防止することができる。
【００３４】
物干し横枠３は、湾曲部の上方に連結横杆２６が設けられているので、ハンガー１９乃至洗濯物１７が風等の影響で左右に移動するのを防止できるのみならず、上方への移動をも規制でき、ハンガー１９乃至洗濯物１７が風等の影響で姿勢変化するのを確実に防止することができる。
連結横杆２６は、隣り合う係止杆２４の間に設けられており、係止杆２４が衝撃等で変形しないように補強すると共に、隣り合う係止杆２４の間の連結横杆２６にハンガー１９等を掛けられるようになり、多くの洗濯物１７を吊して干せるようになる。
【００３５】
図２０は、前記図１６〜１９の実施形態における物干し横枠３を変更した他の実施形態を示し、この実施形態では、連結横杆２６は係止杆２４間を切り取られたように、間隔をあけて設けられている。連結横杆２６が前記図１６〜１９の実施形態に比べて短くて済むので、材料コストが下げられる。
【図面の簡単な説明】
【００３６】
【図１】本発明の一実施形態を示す全体構成の斜視図である。
【図２】同使用状態を示す斜視図である。
【図３】同他の使用状態を示す斜視図である。
【図４】同他の使用状態を示す斜視図である。
【図５】他の実施形態を示す全体構成の斜視図である。
【図６】他の実施形態を示す平面図である。
【図７】同正面図である。
【図８】同第１横枠体の正面図である。
【図９】同第２横枠体の正面図である。
【図１０】同図６のＡ−Ａ線断面図である。
【図１１】同図６のＢ−Ｂ線断面図である。
【図１２】図５の実施の形態の変形例を示す物干し横枠の正面図である。
【図１３】同物干し横枠の平面図である。
【図１４】他の実施形態を示す物干し横枠の平面図である。
【図１５】同図１４のＣ−Ｃ線断面図である。
【図１６】他の実施形態を示す全体構成の斜視図である。
【図１７】同物干し横枠の正面図である。
【図１８】同物干し横枠の平面図である。
【図１９】同使用状態を示す斜視図である。
【図２０】他の実施形態を示す物干し横枠の正面図である。
【符号の説明】
【００３７】
１      物干し具
２      縦枠部材
３      物干し横枠
５      縦杆
６      横係止杆
７      フック体
１１      上横杆
１３      係合杆
１７      洗濯物
１８      物干し竿
１９      ハンガー
２１      保持片
２３      ハンガー引掛部
３３      物干し横杆
３５      内横杆
３６      外横杆
【図１】
2007144095.tif 000003
【図２】
2007144095.tif 000004
【図３】
2007144095.tif 000005
【図４】
2007144095.tif 000006
【図５】
2007144095.tif 000007
【図６】
2007144095.tif 000008
【図７】
2007144095.tif 000009
【図８】
2007144095.tif 000010
【図９】
2007144095.tif 000011
【図１０】
2007144095.tif 000012
【図１１】
2007144095.tif 000013
【図１２】
2007144095.tif 000014
【図１３】
2007144095.tif 000015
【図１４】
2007144095.tif 000016
【図１５】
2007144095.tif 000017
【図１６】
2007144095.tif 000018
【図１７】
2007144095.tif 000019
【図１８】
2007144095.tif 000020
【図１９】
2007144095.tif 000021
【図２０】
2007144095.tif 000022